(57)【要約】モザイク番組案内を作成する方法および装置である。この方法は、符号化ビットビデオストリームからＩフレームを生成するステップと、各Ｉフレームを複数のモザイクウィンドウのうちの一つに収容するステップと、複数のモザイクウィンドウをモザイクビデオフレームに統合するステップと、を含む。
2006510303.tif 000002
【特許請求の範囲】
【請求項１】
符号化ビデオビットストリームからＩフレームを生成するステップと、
各Ｉフレームを複数のモザイクウィンドウのうちの一つに収容するステップと、
前記複数のモザイクウィンドウをモザイクビデオフレームに統合するステップと、
を含む、モザイク番組案内を作成する方法。
【請求項２】
前記モザイクウィンドウのうちの一つに収容するため各Ｉフレームをスケーリングするステップをさらに含む、請求項１に記載の方法。
【請求項３】
各モザイクウィンドウが異なる番組に関連付けられることを特徴とする、請求項１に記載の方法。
【請求項４】
各モザイクウィンドウの前記Ｉフレームが同じ番組の中で後に復号化されたＩフレームで置き換えられることを特徴とする、請求項３に記載の方法。
【請求項５】
前記後に復号化されたＩフレームが前記同じ番組の中の次のＩフレームであることを特徴とする、請求項４に記載の方法。
【請求項６】
前記Ｉフレームが生成される対象の番組を選択するステップをさらに含む、請求項１に記載の方法。
【請求項７】
前記Ｉフレームを生成するステップが、
符号化ビデオビットストリームからＩフレームを表現する符号化データを選択するステップと、
前記符号化データを復号化し、前記Ｉフレームに伸張するステップと、
を含むことを特徴とする、請求項１に記載の方法。
【請求項８】
前記符号化ビデオビットストリームより選択された番組からビデオフレームの組を生成するステップと、
前記ビデオフレームの組の各ビデオフレームを順番にスケーリングし、前記複数のモザイクウィンドウのうちの選択されたモザイクウィンドウに収容するステップと、
をさらに含む、請求項１に記載の方法。
【請求項９】
前記モザイクフレームを表示装置に表示するステップをさらに含む、請求項１に記載の方法。
【請求項１０】
符号化ビデオビットストリームからＩフレームを生成する手段と、
各Ｉフレームを複数のモザイクウィンドウのうちの一つに収容する手段と、
前記複数のモザイクウィンドウをモザイクビデオフレームに統合する手段と、
を具備する、モザイク番組案内を作成する装置。
【請求項１１】
前記モザイクウィンドウのうちの一つに収容するため各Ｉフレームをスケーリングする手段をさらに具備する、請求項１０に記載の装置。
【請求項１２】
各モザイクウィンドウが異なる番組に関連付けられることを特徴とする、請求項１０に記載の装置。
【請求項１３】
各モザイクウィンドウの前記Ｉフレームが同じ番組の中で後に復号化されたＩフレームで置き換えられることを特徴とする、請求項１２に記載の装置。
【請求項１４】
前記後に復号化されたＩフレームが前記同じ番組の中の次のＩフレームであることを特徴とする、請求項１３に記載の装置。
【請求項１５】
前記Ｉフレームが生成される対象の番組を選択する手段をさらに具備する、請求項１０に記載の装置。
【請求項１６】
前記Ｉフレームを生成する手段が、
符号化ビデオビットストリームからＩフレームを表現する符号化データを選択する手段と、
前記符号化データを復号化し、前記Ｉフレームに伸張する手段と、
を具備する、請求項１０に記載の装置。
【請求項１７】
前記符号化ビデオビットストリームより選択された番組からビデオフレームの組を生成する手段と、
前記ビデオフレームの組の各ビデオフレームを順番にスケーリングし、前記複数のモザイクウィンドウのうちの選択されたモザイクウィンドウに収容する手段と、
をさらに具備する、請求項１０に記載の装置。
【請求項１８】
入力信号を受信し、符号化ビットストリームを生成する手段と、
前記符号化ビットストリームを受信するため適応され、符号化ビデオビットストリームを生成するため適応されたデマルチプレクサと、
前記符号化ビデオビットストリームからＩフレームデータを選択し、Ｉフレームのシーケンスを復号化し生成するため適応されたビデオデコーダと、
を具備する、モザイク番組案内を作成する受信機。
【請求項１９】
前記入力信号を受信する手段が、モデムと、広帯域モデムと、ＲＦチューナと、ＲＦチューナおよび復調器よりなる装置の群から選択されることを特徴とする、請求項１８に記載の受信機。
【請求項２０】
入力信号を受信するため適合し、第１の符号化ビットストリームを生成するため適応された第１のチューナおよび復調器と、
前記第１の符号化ビットストリームを受信するため適応され、第１の符号化ビデオビットストリームを生成するため適応された第１のデマルチプレクサと、
前記第１の符号化ビデオビットストリームを受信し、単一番組からビデオフレームのシーケンスを生成するため適応された第１のビデオデコーダと、
前記入力信号を受信するため適応され、第２の符号化ビットストリームを生成するため適応された第２のチューナおよび復調器と、
前記第２の符号化ビットストリームを受信するため適応され、第２の符号化ビデオビットストリームを生成するため適応された第２のデマルチプレクサと、
前記第２の符号化ビデオビットストリームからＩフレームデータを選択し、Ｉフレームのシーケンスを復号化し生成するため適応された第２のビデオデコーダと、
を具備する、モザイク番組案内を作成する受信機。
【請求項２１】
前記ビデオフレームのシーケンスをモザイクフレームの第１のウィンドウに表示し、前記Ｉフレームを前記モザイクフレームのさらなるウィンドウに表示するため適合したミキサをさらに含む、請求項２０に記載の受信機。
【請求項２２】
同じ番組のＩフレームが前記さらなるウィンドウの同じウィンドウにＩフレーム復号化の順番で連続して表示されることを特徴とする、請求項２１に記載の受信機。
【発明の詳細な説明】
【技術分野】
【０００１】
本発明は、デジタルテレビジョンの分野に係わり、特に、デジタルテレビジョンのためのモザイク番組案内を作成する方法に関する。
【背景技術】
【０００２】
モザイク番組案内は、ビデオモニタのような表示装置上のウィンドウに提示された種々のビデオフレームの組み合わせにより構成される。各ビデオフレームは異なる番組から得られ、一つのビデオフレームだけが各ウィンドウに表示される。一般に、各ウィンドウ内のビデオフレームはある一定のレートでリフレッシュされる。モザイク番組案内は、視聴者がデジタルテレビジョンシステムによって送信された多数の番組をプレビューし検索するために役立つ。しかし、モザイク番組案内を提供することはコストがかかり、時間を浪費する。モザイク番組案内を作成する一つの技術は、ビデオ復号化と、多数のウィンドウでの多数の番組の表示を同時に行うことを要求する。この技術は、非常に高速かつ高価な機器を必要とする。モザイク番組案内を作成する別の技術は、モザイク案内を作成し、次に、モザイク番組案内をウィンドウに分割されたように見える単一の番組として配信するサービスプロバイダを必要とする。これは、番組のために使用することができた帯域幅を使い尽くすだけでなく、機器と人的資源の点に関してサービスプロバイダに余分のコストをかける。数百本の番組が利用可能であるとき、これはサービスプロバイダ側では些細な仕事ではない。
【発明の開示】
【発明が解決しようとする課題】
【０００３】
したがって、付加コストを最小限に抑えてモザイク番組案内を作成する方法についての必要性がある。
【課題を解決するための手段】
【０００４】
本発明の第１の態様は、符号化ビデオビットストリームからＩフレームを生成するステップと、各Ｉフレームを複数のモザイクウィンドウのうちの一つに収容するステップと、複数のモザイクウィンドウをモザイクビデオフレームに統合するステップと、を含むモザイク番組案内を作成する方法である。
【０００５】
本発明の第２の態様は、符号化ビデオビットストリームからＩフレームを生成する手段と、各Ｉフレームを複数のモザイクウィンドウのうちの一つに収容する手段と、複数のモザイクウィンドウをモザイクビデオフレームに統合する手段と、を具備するモザイク番組案内を作成する装置である。
【０００６】
本発明の第３の態様は、入力信号を受信し、符号化ビットストリームを生成する手段と、符号化ビットストリームを受信するため適応され、符号化ビデオビットストリームを生成するため適応されたデマルチプレクサと、符号化ビデオビットストリームからＩフレームデータを選択し、Ｉフレームのシーケンスを復号化し生成するため適応されたビデオデコーダと、を具備するモザイク番組案内を作成する受信機である。
【０００７】
本発明の第４の態様は、入力信号を受信するため適応され、第１の符号化ビットストリームを生成するため適応された第１のチューナおよび復調器と、第１の符号化ビットストリームを受信するため適応され、第１の符号化ビデオビットストリームを生成するため適応された第１のデマルチプレクサと、第１の符号化ビデオビットストリームを受信し、単一番組からビデオフレームのシーケンスを生成するため適応された第１のビデオデコーダと、入力信号を受信するため適応され、第２の符号化ビットストリームを生成するため適応された第２のチューナおよび復調器と、第２の符号化ビットストリームを受信するため適応され、第２の符号化ビデオビットストリームを生成するため適応された第２のデマルチプレクサと、第２の符号化ビデオビットストリームからＩフレームデータを選択し、Ｉフレームのシーケンスを復号化し生成するため適応された第２のビデオデコーダと、を具備するモザイク番組案内を作成する受信機である。
【０００８】
本発明の特徴は特許請求の範囲に記載されている。しかし、本発明自体は、実例となる実施形態についての以下の詳細な説明を、添付図面と併せて参照することによって最もよく理解されるであろう。
【発明を実施するための最良の形態】
【０００９】
用語「フレーム」はビデオ画像のコンテキストにおいて使用されるとき用語「ピクチャ」と置き換え可能である。用語「Ｉフレーム（イントラフレーム）」は、同じフレーム内の復号化されたサンプルだけに基づく予測を使用して符号化されたビデオのフレームとして定義される。用語「Ｐフレーム（予測フレーム）」は、前に復号化された基準フレームからのインター予測を使用して符号化されたビデオデータのフレームとして定義される。用語「Ｂフレーム（双方向予測フレーム）」は、複数のインター予測ブロックを使用して符号化されたフレームとして定義される。ブロックは、サンプルまたは変換係数のＮ行Ｍ列のアレイである。番組案内は、パターン状に配置された様々な番組からのスケーリングされたフレームのモザイクとして定義される。スケーリングは、アルゴリズムに従って、ビデオの画素のすべてまたは部分集合を使用して、表示装置の画素数とビデオフレームの画素数との間の関係を変化させるため、ビデオフレームを修正するプロセスとして定義される。
【００１０】
図１は本発明によるモザイク番組案内を表示する表示装置の説明図である。図１において、表示装置１００は、モザイクウィンドウ１１０Ａ、１１０Ｂ、１１０Ｃ、１１０Ｄ、１１０Ｅおよび１１０Ｆに分割された画面１０５を含む。第１の実施例においては、表示装置はテレビモニタである。第２の実施例においては、表示装置１００は、モザイクウィンドウ１１０Ａ〜１１０Ｆを画面１０５に投影するプロジェクタである。各モザイクウィンドウ１１０Ａ〜１１０Ｆ内には、対応する異なるモザイク画像１〜６が表示される。各モザイク画像１〜６は、たとえば、異なる番組からのビデオフレームである。モザイク画像１〜６は定期的に更新される。モザイク画像１〜６は、視聴者がどの番組を視聴するかを決める前に６本の番組を試聴できるようにする６本の番組の番組案内を構成すると考えられる。６個のモザイク画像が例示されているが、任意の数のモザイク画像が任意のウィンドウの幾何学的配置に表示される。
【００１１】
図２は本発明によるモザイク番組案内と主番組を表示する表示装置の説明図である。図２において、表示装置１００のウィンドウ１０５はモザイクウィンドウ１１０Ａ、１１０Ｂ、１１０Ｃおよび主ウィンドウ１１５に分割される。モザイクウィンドウ１１０Ａ〜１１０Ｃは、それぞれ、モザイク画像１〜３を表示する。モザイク画像１〜３は異なる番組からのビデオフレームである。主ウィンドウ１１５は、任意の時点における、視聴している番組のビデオフレームである主番組画像を表示する。主番組画像は標準レートでリフレッシュされ、対応する音声が伴う。一般に、モザイク画像１〜３は標準レートよりも低いレートでリフレッシュされる。３個のモザイク画像が例示されているが、任意の数のモザイク画像が任意のウィンドウの幾何学的配置に表示される。
【００１２】
図３はデジタルデータストリームに符号化された典型的なビデオフレームのシーケンスを説明する図である。動画像専門家グループ（ＭＰＥＧ）のトランスポートストリームのようなデジタルデータストリームは、様々なタイプのビデオフレームの時間的シーケンスを表現するデジタルデータ（音声データのようなその他のデータを伴う）により構成される。ビデオフレームシーケンスだけが図３に例示されている。図３において、ビデオフレームの時間的シーケンスの一部分１２０は、Ｉフレーム１２５、Ｐフレーム１３０およびＢフレーム１３５を含む。トランスポートストリーム内の各番組は、その固有のＩフレーム、ＰフレームおよびＢフレームを含む。図２のウィンドウ１１５に表示される主番組画像は、単一番組（すなわち、主番組）に属するすべてのＩフレーム１２５、Ｐフレーム１３０およびＢフレーム１３５の復号化と表示を必要とする。図１のモザイクウィンドウ１１０Ａ〜１１０Ｆおよび図２のモザイクウィンドウ１１０Ａ〜１１０Ｃに表示されるモザイク画像は、様々な番組からの復号化され表示されたＩフレーム１２５である。Ｉフレームが使用される理由は、それらが完全なフレームを得るために他のフレームの復号化を必要としないからである。さらに、ＩフレームはＰフレームまたはＢフレームと同じ程度には圧縮されないので、必要な復号化の量が少ない。したがって、本発明において、モザイク画像は、サービスプロバイダまたはコンテンツプロバイダによって生成されるのではなく、受信機において生成され、完全なビデオ番組ではなく、サンプルである。
【００１３】
図４は本発明によるモザイク番組案内を作成する受信機の略ブロック図である。図４において、受信機１４０は、チューナおよび復調器１４５と、デマルチプレクサおよび暗号解読器１５０と、オーディオデコーダ１５５と、ビデオデコーダ１６５とを含む。チューナおよび復調器１４５は、入力信号１７０を受信し、（ＭＰＥＧトランスポートストリームのための）符号化ビットストリーム１７５を生成する。デマルチプレクサおよび暗号解読器１５０は、符号化ビットストリーム１７５を受信し、符号化音声ビットストリーム１８０（ＭＰＥＧ用の音声基本ストリーム）と符号化ビデオビットストリーム１８５（ＭＰＥＧ用のビデオ基本ストリーム）を生成する。オーディオデコーダ１５５は符号化音声ビットストリーム１８０を受信し、再生可能な音声出力信号１９０を生成する。
【００１４】
ビデオデコーダ１６５は、番組セレクタ１６０、ビデオビットバッファ１９５、可変長デコーダ（ＶＬＤ）２００、逆量子化器２０５、逆離散コサイン変換器（ＩＤＣＴ）２１０、リコンストラクタ２１５、ウィンドウコンポーザ２２０、動き補償器２２５、アンカーフレーム記憶装置２３０およびビデオコントローラ２３５を含む。ＶＬＤ２００はさらにフレーム検出器２４０を含む。符号化ビデオビットストリーム１８５は、番組セレクタ１６０を通過し、ビデオビットバッファ１９５に入る。番組セレクタ１６０は指定されたチャンネルの選択を可能にする。ビデオビットバッファ１９５はビデオデコーダ１６５のオーバーロードを阻止する。
【００１５】
通常動作（すなわち、主番組の再生時）については、ビデオコントローラ２３５は番組選択信号２４５によって番組を選択し、ビデオビットバッファ１９５は符号化ビデオビットストリーム１８５を受信し、一時的に記憶されたデータのバーストの状態で符号化ビデオビットストリームをＶＬＤ２００へ送る。ＶＬＤ２００は、逆量子化器２０５およびＩＤＣＴ２１０と共に、量子化によって劣化した画素データ２５０（Ｉフレームの場合にはＩフレーム、または、Ｐフレーム若しくはＢフレームの場合には画素予測誤差による画素）を生成する。ＶＬＤ２００はまた、動き補償器２２５によって受信される動きベクトル２５５を生成し、この動き補償器２２５は、動きベクトル２５５およびアンカーウィンドウコンポーザ２３０内の画素から動き補償された予測画素２６０を生成する。リコンストラクタ２１５は、画素データ２５０と動き補償された予測画素２６０を再構成画素２６５に統合する。再構成画素２６５はウィンドウコンポーザ２２０とアンカーウィンドウコンポーザ２３０へ送られる。ウィンドウコンポーザ２２０は、表示用の再構成画素２６５を作成し、表示ビデオ出力２７０を生成する。通常モードにおいて、ウィンドウコンポーザ２２０は、単に１個の「全画面」ウィンドウを生成し、表示空間を（同時に）１個のフレームで埋める。
【００１６】
モザイク動作（すなわち、図５に示されるような番組案内の表示時）については、ビデオコントローラ２３５はチャンネル選択信号２４５によって番組を選択し、ビデオビットバッファ１９５は符号化ビデオビットストリーム１８５を受信し、一時的に記憶されたデータのバーストの序湯対で符号化ビデオビットストリームをＶＬＤ２００へ送る。フレーム検出器２４０がＩフレームビデオを検出したとき、コントローラ２３５は、動き補償をオフに切り換えるため、モザイクモード信号２７５Ａを動き補償器２２５へ送信し、再構成画素２６５の受信を無効にするためモザイクモード信号２７５Ｂをアンカーフレーム記憶装置へ送信し、ウィンドウコンポーザをモザイクモードに入れるため（たとえば、Ｉフレームをスケーリングし、Ｉフレームを複数のウィンドウに収容するため）モザイクモード信号２７５Ｃをモザイクコンポーザ２２０へ送信する。フレーム検出器２４０がＰフレームまたはＢフレームを検出したとき、ビデオコントローラ２３５は、フレームを無視するようにＶＬＤ２００に命令し、ＶＬＤからデータが送り出されない。かくして、画素データ２５０はＩフレームだけを収容する。モザイクモードにおいて、ウィンドウコンポーザ２２０は、１個のモザイクウィンドウを埋めるため異なる番組の各フレームをスケーリングし、ウィンドウを１個のモザイクフレームに組み立て、モザイクフレームをビデオ表示装置へ渡す。ウィンドウコンポーザ２２０は各Ｉフレームを記憶し、各番組からの最も旧いＩフレームを各番組からのより新しいＩフレームで置き換えるので、モザイクフレームは絶えず更新される。したがって、モザイクフレームは表示装置をリフレッシュするため使用され、同時にモザイクフレーム自体は新しいＩフレームが受信されたときに更新される。
【００１７】
ビデオデコーダ１６５は、選択された番組のＰフレームおよびＢフレームの復号化を許可すると共にすべての他の番組のＰフレームおよびＢフレームの復号化を阻止し、モザイクモード制御信号２７５Ａ、２７５Ｂおよび２７５Ｃを適切に切り換えることにより、（図２に示されるように）混合モードで動作可能である。混合モードでは、ウィンドウコンポーザ２２０は、異なる番組の各フレームをスケーリングして１個のモザイクウィンドウを埋めるため、完全に復号化されたビデオ番組をスケーリングして主ウィンドウに収容する。
【００１８】
図５は本発明によるモザイク番組案内を作成する方法のステップを説明するフローチャートである。ステップ２８０において、受信機が使用可能にされ、入力信号が受信される。ステップ２８５において、受信機はモザイクモードに設定され、モザイク番組案内に組み込まれる番組が選択される。ステップ２９０において、入力信号は、基本ビデオストリームに分離される（必要に応じて暗号解読される）。ステップ２９５において、Ｉフレームが検出されたかどうかが判定され、検出されたならば、検出されたＩフレームがビデオ案内に表示するため選択された番組に属するかどうかが判定される。検出されたフレームがＩフレームではない（たとえば、Ｐフレーム若しくはＢフレームである）、または、選択されていない番組からのＩフレームであるならば、この方法はステップ２９０へ戻る。検出されたフレームが選択された番組からのＩフレームであるならば、ステップ３００において、そのＩフレームが復号化される。次に、ステップ３０５において、各番組の最後の復号化され記憶されたＩフレームは各番組の最新の復号化されたＩフレームで置き換えられ、モザイクフレームが更新される。ステップ３１０において、モザイクフレームは表示され、必要に応じてリフレッシュされる。この方法は継続的にステップ２９０へ戻る。
【００１９】
図６Ａは本発明の第１のアプリケーションの略ブロック図である。図６Ａにおいて、受信機３５０は、広帯域モデム３５５（または標準モデム）、デマルチプレクサおよび暗号解読器３６０、ビデオデコーダ３６５、オーディオデコーダ３７０および受信機コントローラ３７５を含む。ビデオデコーダ３６５は、図４に示されたビデオデコーダ１６５と同じであり、既に説明されている。デマルチプレクサ３６０は、広帯域モデム３５５から広帯域符号化ビット信号を受信し、制御信号３８０Ａに応答して、ビデオ基本ストリーム３８５および音声基本ストリーム３９０を組み立てるための広帯域信号を選択する。オーディオデコーダ３７０は、音声基本ストリーム３９０を受信し、再生可能な音声出力信号を生成する。ビデオデコーダ３６５は、ビデオ基本ストリーム３８５を受信し、制御信号３８０Ｂに応答して、表示のための復号化Ｉフレームのシーケンスを生成する。
【００２０】
図６Ｂは本発明の第２のアプリケーションの略ブロック図である。図６Ｂにおいて、受信機３９５は、図６Ａに示された受信機３５０と類似しているが、広帯域モデム３５５（図６Ａを参照のこと）が無線周波数チューナおよび復調器（または、簡単にＲＦチューナ）４００で置き換えられ、無線周波数チューナおよび復調器は符号化ビットストリーム（ＭＰＥＧ用のトランスポートストリーム）を生成し、デマルチプレクサおよび暗号解読器３６０はデマルチプレクサおよび暗号解読器３６０Ａで置き換えられる。デマルチプレクサおよび暗号解読器３６０Ａはデマルチプレクサおよび暗号解読器３６０の能力を備える必要はなく、その理由は、制御信号３８０Ｃがチューナおよび復調器４００の出力を選択するため受信機コントローラ３７５から供給されるからである。ビデオデコーダ３６５は、ビデオ基本ストリーム３８５を受信し、制御信号３８０Ｂに応答して、表示のための復号化Ｉフレームのシーケンスを生成する。
【００２１】
図６Ｃは本発明の第３のアプリケーションの略ブロック図である。図６Ａにおいて、受信機４０５は、第１のＲＦチューナおよび復調器４１０Ａ、第２のＲＦチューナおよび復調器４１０Ｂ、第１のデマルチプレクサおよび暗号解読器４１５Ａ、第２のデマルチプレクサおよび暗号解読器４１５Ｂ、第１のビデオデコーダ４２０、ビデオデコーダ４２５、オーディオデコーダ４３０、受信機コントローラ４３５およびミキサ４４０を含む。第１のビデオデコーダ４２０は、図４に示されたビデオデコーダ１６５と同じであり、既に説明されている。第２のビデオデコーダ４２５は、図４に示されたビデオデコーダ１６５と類似し、既に説明されているが、第２のビデオデコーダは動き補償器またはアンカーフレーム記憶装置を内蔵する必要がなく、そのデコーダはＩフレームだけを認識し復号化するように修正される。第１および第２のチューナおよび復調器は同じでも同じでなくてもよく、第１および第２のデマルチプレクサおよび暗号解読器４１５Ａ、４１５Ｂは同じでも同じでなくてもよい。
【００２２】
動作中に、第１のチューナおよび復調器４１０Ａ、第１のデマルチプレクサおよび暗号解読器４１５Ａ、および、第１のビデオデコーダ４２０は、一体となって、主番組のすべてのビデオフレームを生成し、ミキサ４４０へ与える。第２のチューナおよび復調器４１０Ｂ、第２のデマルチプレクサおよび暗号解読器４１５Ｂ、および、第２のビデオデコーダ４２５は、一体となって、選択された番組案内（モザイク）のすべてのＩフレームを生成し、ミキサ４４０へ与える。ミキサ４４０は、次に、対応するウィンドウを単一フレームに合わせるため各モザイクフレームおよび主フレームをスケーリングし、スケーリングされたフレームを単一の表示可能なフレームに組み立てる。
【００２３】
受信機４０５は、適切に与えられた制御信号４４５Ａ、４４５Ｂ、４４５Ｃ、４４５Ｄ、４４５Ｅ、４４５Ｆおよび４４５Ｇによって、ノーマルビデオおよびモザイクだけのモードビデオを生成することも可能である。本発明は、Ｉフレーム、ＰフレームおよびＢフレームを使用するあらゆるデジタル通信規格、すなわち、ＭＰＥＧ−１、ＭＰＥＧ−２、ＭＰＥＧ−４、ＭＰＥＧ−７、国際電気通信連合標準化部門（ＩＴＵ−Ｔ）Ｈ２６４、デジタル衛星システム（ＤＳＳ）のデータ構造、または、ＭＰＥＧ規格と共通のデータストリーム構造を共用するか若しくはＭＰＥＧ規格に基づいて構築されたその他の規格を含むデジタル通信規格に適用可能であるが、それらに限定されない。ＩＴＵ−Ｔ  Ｈ２６４規格の場合、付加的なフレームのタイプであるＳＰフレームが許可される。本発明がモザイクまたは番組案内モードであるとき、ＰフレームおよびＢフレームと同様に、ＳＰフレームは無視される。
【００２４】
本発明の実施形態の説明は本発明の理解のため記載された。当然のこととして、本発明は本明細書に記載された特定の実施形態に限定されず、当業者に明白になるような様々な変形、再配置および置換が本発明の範囲を逸脱することなく可能である。したがって、特許請求の範囲は、本発明の真の精神および範囲に含まれるそのような変形および変更のすべてを対象とすることが意図されている。
【図面の簡単な説明】
【００２５】
【図１】本発明によるモザイク番組案内を表示する表示装置の説明図である。
【図２】本発明によるモザイク番組案内および主番組を表示する表示装置の説明図である。
【図３】デジタルデータストリームに符号化された典型的なビデオフレームのシーケンスを説明する図である。
【図４】本発明によるモザイク番組案内を作成する受信機の略ブロック図である。
【図５】本発明によるモザイク番組案内を作成する方法のステップを説明するフローチャートである。
【図６Ａ】本発明の第１のアプリケーションの略ブロック図である。
【図６Ｂ】本発明の第２のアプリケーションの略ブロック図である。
【図６Ｃ】本発明の第３のアプリケーションの略ブロック図である。
【図１】
2006510303.tif 000003
【図２】
2006510303.tif 000004
【図３】
2006510303.tif 000005
【図４】
2006510303.tif 000006
【図５】
2006510303.tif 000007
【図６Ａ】
2006510303.tif 000008
【図６Ｂ】
2006510303.tif 000009
【図６Ｃ】
2006510303.tif 000010
【国際調査報告】
2006510303.tif 000011
2006510303.tif 000012
2006510303.tif 000013